【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
それぞれ独立して分離した複数のエアゾールバルブと、それらを保持し、耐圧性の外容器の開口部に固定するための保持部材とを備えており、
前記保持部材が、複数のエアゾールバルブを保持するバルブホルダーと、そのエアゾールバルブおよびバルブホルダーを覆うマウンテンカバーとを備えており、
前記バルブホルダーが、複数のエアゾールバルブを挿入して保持する複数のホルダー部を有し、
前記マウンテンカバーのカバー部の上底にエアゾールバルブのステムを通す複数のステム挿通孔が形成されている、
バルブアッセンブリ。
【請求項２】
前記バルブホルダーが、外容器の開口部の上端に配置されるフランジ部を有し、
前記マウンテンカバーが、エアゾールバルブをバルブホルダーに固定するカバー部と、バルブホルダーのフランジ部を外容器に固定する固定部とを有する、
請求項１記載のバルブアッセンブリ。
【請求項３】
前記バルブホルダーが、柱状の蓋部と、その下端に形成されたフランジ部とを有し、
前記マウンテンカバーのカバー部は、エアゾールバルブを蓋部に固定し、
前記バルブホルダーの蓋部およびマウンテンカバーのカバー部の平面断面の外形が、円の一部を切欠いた形状を有している、
請求項１記載のバルブアッセンブリ。
【請求項４】
前記バルブホルダーが、外容器の開口部の内面に沿って挿入される栓部を有し、
前記外容器の開口部の内面とバルブホルダーの栓部の外面との間に環状のシール材が設けられる、
請求項１記載のバルブアッセンブリ。
【請求項５】
前記バルブホルダーのホルダー部の内面と、前記エアゾールバルブのハウジングの外面との間に環状のバルブガスケットが設けられている、
請求項１記載のバルブアッセンブリ。
【請求項６】
前記マウンテンカバーの上底が、複数のエアゾールバルブを抑える凹部を備えている、請求項１記載のバルブアッセンブリ。
【請求項７】
前記エアゾールバルブが、ハウジング、ステム、ステムラバー、バネ、カバーとからなり、
前記ハウジング内にステム、ステムラバー、バネをカバーで固定したものである、
請求項１記載のバルブアッセンブリ。
【請求項８】
外容器内に加圧剤を充填するためのガス充填バルブを備えている、
請求項１記載のバルブアッセンブリ。
【請求項９】
耐圧性の外容器と、
その外容器内に区画され、噴射剤が充填される噴射剤用収納部および複数の内容物が充填される内容物用収納部と、
前記外容器を閉じ、かつ、内容物用収納部と連通するエアゾールバルブを複数備えた請求項１〜８いずれか記載のバルブアッセンブリとを有する、
エアゾール容器。
【請求項１０】
前記エアゾールバルブと内容物用収納部とを連通し、下端が内容物用収納部内に挿入される複数のチューブをさらに有しており、
少なくとも２つのチューブの内容物用収納部内における下端の位置が上下方向にずれている、
請求項９記載のエアゾール容器。
【請求項１１】
前記エアゾールバルブに取り付けられる操作部をさらに備え、
前記操作部が、それぞれのエアゾールバルブのステムに取り付けられる２つのステム係合部と、２つの内容物を吐出する断面矩形状の吐出口と、そのステム係合部と吐出口とを連通する部材内通路とを有しており、
前記部材内通路が、それぞれのステム係合部と連通する２つの独立通路と、それぞれの独立通路の上端と連通し、それぞれの独立通路から流れる内容物を合流しながら吐出口まで水平に延びる共通通路とを備えており、
前記吐出口の幅と、前記独立通路の距離と２つの独立通路の直径の和とが実質的に同じである、
請求項９記載のエアゾール容器。
【請求項１２】
前記操作部が透光性を有する、請求項１１記載のエアゾール容器。
【請求項１３】
それぞれのエアゾールバルブのステムに取り付けられる複数の操作部を備えている、
請求項９記載のエアゾール容器。
【請求項１４】
前記内容物用収納部が、外容器内に収納される複数の袋体によって構成されている、１または複数の袋体および外容器と袋体との隙間によって構成されている、または、袋体内にて区画された複数の区画部によって構成されている、
請求項９記載のエアゾール容器。
【請求項１５】
前記外容器が合成樹脂製である、請求項９記載のエアゾール容器。
【請求項１６】
前記内容物用収納部を２つ備えた、請求項９〜１５記載のエアゾール容器。
【請求項１７】
請求項１６記載のエアゾール容器と、
前記噴射剤用収納部に充填される噴射剤と、
前記内容物用収納部にそれぞれ充填される２つの内容物とを備え、
前記２つの内容物が２液反応型製剤である、
エアゾール製品。
【請求項１８】
前記２液反応型製剤が２液式染毛剤である、請求項１７記載のエアゾール製品。
【手続補正２】
【補正対象書類名】明細書
【補正対象項目名】０００５
【補正方法】変更
【補正の内容】
【０００５】
本発明のバルブアッセンブリは、それぞれ独立して分離した複数のエアゾールバルブと、それらを保持し、耐圧性の外容器の開口部に固定するための保持部材とを備えており、前記保持部材が、複数のエアゾールバルブを保持するバルブホルダーと、そのエアゾールバルブおよびバルブホルダーを覆うマウンテンカバーとを備えており、前記バルブホルダーが、複数のエアゾールバルブを挿入して保持する複数のホルダー部を有し、前記マウンテンカバーのカバー部の上底にエアゾールバルブのステムを通す複数のステム挿通孔が形成されていることを特徴としている。本発明における独立して分離したエアゾールバルブとは、それぞれが内容物の通路を構成する独立したハウジングを備えており、それぞれ分離した状態でバルブ機能を発揮するものを言う。
【手続補正３】
【補正対象書類名】明細書
【補正対象項目名】０００６
【補正方法】削除
【補正の内容】
【手続補正４】
【補正対象書類名】明細書
【補正対象項目名】００１４
【補正方法】変更
【補正の内容】
【００１４】
本発明のバルブアッセンブリは、それぞれ独立して分離した複数のエアゾールバルブと、それらを保持し、耐圧性の外容器の開口部に固定するための保持部材とを備えているため、それぞれのエアゾールバルブ内を通る内容物はそれぞれ独立した状態で外部に吐出される。そのため、内容物に応じてエアゾールバルブの材料を適宜選択することができる。そして、バルブアッセンブリ内での内容物の浸透による反応を防止できるため、２液式染毛剤など、反応性の高い内容物であっても長期間安定に保存することができる。
また前記保持部材が、複数のエアゾールバルブを保持するバルブホルダーと、そのエアゾールバルブおよびバルブホルダーを覆うマウンテンカバーとを備えており、前記バルブホルダーが、複数のエアゾールバルブを挿入して保持する複数のホルダー部を有し、前記マウンテンカバーの上底にエアゾールバルブのステムを通す複数のステム挿通孔が形成されているため、バルブホルダーによりエアゾールバルブ間の内容物の浸透を一層遮断できるため内容物の安定性に優れる。さらに、エアゾールバルブの保持が一層確実にでき、製造しやすい。
【手続補正５】
【補正対象書類名】明細書
【補正対象項目名】００１５
【補正方法】変更
【補正の内容】
【００１５】
さらに、バルブホルダーを備えたバルブアッセンブリにおいて、バルブホルダーが外容器の開口部の上端に配置されるフランジ部を有し、前記マウンテンカバーがエアゾールバルブをバルブホルダーに固定するカバー部と、バルブホルダーのフランジ部を外容器に固定する固定部とを有する場合、バルブホルダーを安定して外容器の開口部の上端に配置でき、エアゾールバルブおよびバルブホルダーを安定して固定できる。